(57)【要約】【課題】  複数の動作モードを有するビデオライトを備えたストロボ装置においてユーザーに煩わしさを与えない操作性を提供することである。【解決手段】  キセノン管の閃光発光を行う発光部とＬＥＤ等を用いた連続発光によるビデオライトを有するストロボ装置であって、前記ストロボ装置の背面に主電源のＯＮとＯＦＦを機械的に切る変えるスイッチと、ＬＥＤ の発光手段をＡＵＴＯモードとＭＡＮＵＡＬモードに機械的に切り替えるスイッチ、更に強制的にＬＥＤの点灯／消灯を切り替える電気的切り替えスイッチを配置したことを特徴とするストロボ装置。【選択図】  図２
2012145863.tif 000002
【特許請求の範囲】
【請求項１】
キセノン管の閃光発光を行う発光部とＬＥＤを用いた連続発光によるビデオライトを有するストロボ装置であって、前記ストロボ装置の背面に主電源のＯＮとＯＦＦを機械的に切る変えるスイッチと、ＬＥＤ の発光手段をＡＵＴＯモードとＭＡＮＵＡＬモードに機械的に切り替えるスイッチ、更に強制的にＬＥＤの点灯／消灯を切り替える電気的切り替えスイッチを配置したことを特徴とするストロボ装置。
【請求項２】
前記ストロボ装置と撮像装置の両機器間に、両機器間の制御をおこなう為の通信手段を設け、撮像装置からの情報に基づいてＬＥＤを用いた連続発光によるビデオライト点灯の要／不要を判断し、ビデオライトを自動的に点灯／消灯を制御することを特徴とする請求光１に記載のストロボ装置。
【発明の詳細な説明】
【技術分野】
【０００１】
本発明は、写真用人工光源である、ストロボ装置に関し、特にＬＥＤを光源としたビデオライトを有するストロボ装置において、ＬＥＤビデオライトの操作系に関するものである。
【背景技術】
【０００２】
例えば、特許文献１ではビデオライトが搭載されていない一般的な外付けストロボ装置の操作系が開示されている。また特許文献２では、ビデオカメラに取り付けるビデオライトの制御手段が開示されている。
【０００３】
上述の特許文献１に開示されている、一般的な外付けストロボにビデオライトを搭載する場合、同じく上述の特許文献２にて開示されているカメラからの露出情報に基づいてビデオライトの点灯の要／不要を判断し、ビデオライトを自動的に点灯／消灯を制御することが考えられる。
【０００４】
しかしながら、上述の特許文献に開示された従来技術では、ビデオライトの点灯の要／不要の判断をカメラ側が自動的に制御しており、ユーザーの好みによりビデオライトの要／不要を制御することができない。
【０００５】
そこで図５に示す通り、外付けストロボ背面にビデオライトの点灯の要／不要の判断をカメラ側が自動的に制御することができるモードに設定可能な、ＬＥＤ ＡＵＴＯポジションと、ユーザーの好みによりビデオライトの点灯／消灯を切替ることができるＬＥＤ ＯＮ、ＬＥＤ ＯＦＦポジションを有する３ポジションスライドスイッチを配置することにより、カメラ側での自動制御とユーザー側による操作による点灯／消灯の制御が可能となる。
【先行技術文献】
【特許文献】
【０００６】
【特許文献１】特開平８−１４６４９７号公報
【特許文献２】特開２００２−２７１６８７号公報
【発明の概要】
【発明が解決しようとする課題】
【０００７】
しかし上記構成では、ＬＥＤ ＯＮポジションで外付けストロボ装置のＭＡＩＮスイッチをＯＦＦにし、再度ＭＡＩＮスイッチをＯＮにすると同時にＬＥＤは点灯してしまう。ユーザーが点灯させたくないシチュエーションでＬＥＤ点灯させてしまう可能性がある。従って、ユーザーはＬＥＤが点灯している状態か否か確認した上で、主電源をＯＦＦにする必要があり、点灯していた場合はＬＥＤ  ＯＦＦポジションにした上で、主電源をＯＦＦにする。もしくは、主電源をＯＮにする前にＬＥＤ  ＯＦＦポジションにあるか確認し、もしＬＥＤ  ＯＦＦポジションに無ければ、ＬＥＤ  ＯＦＦポジションにしたうえで主電源をＯＮしなければならず非常に煩わしい。
【０００８】
そこで、本発明の目的は上述の複数の動作モードを有するビデオライトを備えたストロボ装置においてユーザーに煩わしさを与えない操作性を提供することである。
【課題を解決するための手段】
【０００９】
本発明に係るストロボ装置は、キセノン管の閃光発光を行う発光部とＬＥＤ等を用いた連続発光によるビデオライトを有するストロボ装置であって、前記ストロボ装置の背面に主電源のＯＮとＯＦＦを機械的に切る変えるスイッチと、ＬＥＤ の発光手段をＡＵＴＯモードとＭＡＮＵＡＬモードに機械的に切り替えるスイッチ、更に強制的にＬＥＤの点灯／消灯を切り替える電気的切り替えスイッチを配置したことを特徴とする。
【発明の効果】
【００１０】
本発明によれば不意にビデオライト用ＬＥＤが点灯しないよう考慮された操作系を持つ外付けストロボ装置を提供することができる。
【図面の簡単な説明】
【００１１】
【図１】本発明の実施形態に係るストロボ装置および撮像装置の構成を示すブロック図。
【図２】本発明によるストロボ装置の操作系を示す図。
【図３】本発明の実施の形態１に係るＬＥＤ  ＡＵＴＯ時のビデオライト用ＬＥＤ制御手段の動作フローチャートである。
【図４】本発明の実施の形態１に係るＬＥＤ  ＭＡＮＵＡＬ時のビデオライト用ＬＥＤ制御手段の動作フローチャート。
【図５】従来のストロボ装置の操作系を示す例示である。
【発明を実施するための形態】
【００１２】
以下に、本発明の好ましい実施の形態を、添付の図面に基づいて詳細に説明する。
【００１３】
［実施例１］
図１は、本発明の実施形態にかかわるＬＥＤビデオライト制御手段の構成を示すブロック図である。
【００１４】
図１に示すように１０１は撮像装置、１００は撮像装置１０１に接続されるストロボ装置である。
【００１５】
キセノン管２は第１の発光手段であり、キセノン管２から発した閃光を反射傘３で反射し、フレネルレンズ４はその光束の配光を制御する。ストロボ回路６は、キセノン管２を発光させる昇圧回路やトリガー回路を含んでいる。
【００１６】
ＬＥＤ５は第２の発光手段を構成する。撮像装置１０１から外付けストロボ装置１００へコントロールする為に、撮像装置１０１と外付けストロボ装置１００は着脱可能な通信端子９で接続されている。
【００１７】
制御回路７は撮像装置１０１のマイクロコンピュータ１５からの制御命令に従ってキセノン管２の発光制御とＬＥＤ５の発光制御を行う。また制御回路７は背面操作部１の選択情報の検出と制御、撮像装置１０１のマイクロコンピュータ１５からの要求に応じて外付けストロボ装置１００の状態を送信する等の処理を行う。
【００１８】
図２は前述の背面操作部１の詳細を示しており、各操作部材が配設されている。
【００１９】
即ち、上記ストロボ装置１００の背面側には、ＭＡＩＮ スイッチ１６、ＬＥＤ発光モード切り替えスイッチ１７及びＬＥＤ強制ＯＮ−ＯＦＦ切り替え釦１８がそれぞれ配設される。
【００２０】
ＭＡＩＮ スイッチ１６はストロボ装置の主電源のＯＮ，ＯＦＦを切り替え、それぞれ独立したポジションを有する機械的スライドスイッチであり、ＬＥＤ ＡＵＴＯ−ＭＡＮＵＡＬ切り替えスイッチ１７も同様にそれぞれ独立したポジションを有する機械的スライドスイッチのみでＬＥＤ発光モードを切り替えることができる。
【００２１】
ＬＥＤ ＡＵＴＯ−ＭＡＮＵＡＬ切り替えスイッチ１７をＬＥＤ  ＡＵＴＯ位置に操作した場合、ＬＥＤ５の点灯／消灯は撮像装置１０１のマイクロコンピュータからの制御命令によりＬＥＤ５が操作される。
【００２２】
図３は撮像装置１０１のＡＵＴＯ  ＬＥＤビデオライト制御における一連の制御フローチャートを示す。
【００２３】
撮像装置１０１にて動画撮影を開始する際、まず露出計算を実行し（ステップ３００）、露出最適化の為にアイリス制御、電子シャッターの制御以外にＬＥＤ５の点灯の必要があるか否かを判断する（ステップ３０１）。
【００２４】
ＬＥＤ５の点灯が必要な場合はＬＥＤ５が現在消灯されているかをチェックし、ＬＥＤ５の制御回路７にＬＥＤ５の点灯要求を送信し、外付けストロボ装置１００のＬＥＤ５を点灯させる（ステップ３０２〜３０３）。
【００２５】
ＬＥＤ５の点灯が不必要な場合は、ＬＥＤ５が現在点灯されているか否かをチェックし、ＬＥＤ５が現在点灯していれば制御回路７にＬＥＤ５の消灯要求を送信し、ＬＥＤ５を消灯させる（ステップ３０７〜３０８）。
【００２６】
この処理が終了し動画停止の必要が無い（ステップ３０４）場合は露出計算（ステップ３００）へ戻り、再び処理が繰り返される。
【００２７】
露出計算（ステップ３００）の結果、ＬＥＤ５が点灯と判断されＬＥＤ５が点灯中に所定の操作にて、動画を停止させたいと判断（ステップ３０４）した場合、ＬＥＤ消灯命令が外付けストロボ装置１００の制御回路７に送信され（ステップ３０５）ＬＥＤが消灯する（ステップ３０６）。
【００２８】
上述のように、ＡＵＴＯ位置において動画撮影時に撮像装置かがらの制御のよって自動的にビデオライトがＯＮ、ＯＦＦされるので、ユーザーの操作負荷を軽減することが可能となる。
【００２９】
スイッチ１７をＬＥＤ  ＭＡＮＵＡＬに切り替えた場合、ユーザーの好みによりビデオライトの点灯／消灯の操作が可能となる。
【００３０】
ＬＥＤ強制ＯＮ−ＯＦＦ切り替え釦１８はＬＥＤ ＡＵＴＯ−ＭＡＮＵＡＬ切り替えスイッチ１７がＭＡＮＵＡＬ時に操作可能となる。釦１８はプッシュスイッチであり、釦１８の操作により発生した信号を制御回路が受け取り、LEDが非点灯状態であれば点灯させ、点灯状態であれば消灯させる。
【００３１】
即ちＬＥＤ強制ＯＮ−ＯＦＦ切り替え釦１８は独立したポジションによる機械的スライドスイッチによりＯＮ−ＯＦＦを操作していない為、ＭＡＩＮ スイッチ１６により、電源をＯＦＦにしてしまえば、その直前の動作は記憶されずリセットされてしまう。よってデフォルトの設定をＯＦＦにすることにより、電源ＯＦＦ直前の状態がＬＥＤ ＭＡＮＵＡＬに切り替えられており、且つＬＥＤがＯＮ状態だったとしても、ＭＡＩＮ スイッチ１６により、電源をＯＦＦにし、その後改めてＭＡＩＮ スイッチ１６で電源をＯＮにした場合でも、ＬＥＤは不意に点灯することはない。
【００３２】
図４はＭＡＮＵＡＬ  ＬＥＤビデオライト制御における一連の制御フローチャートを示す。
【００３３】
ストロボ装置１００にてＬＥＤ ＡＵＴＯ−ＭＡＮＵＡＬ切り替えスイッチ１７がＭＡＮＵＡＬに切り替えられており、ＬＥＤ強制ＯＮ−ＯＦＦ切り替え釦１８が押下された場合、ＬＥＤ発光命令が制御回路７より送信しＬＥＤ５が点灯する。（ステップ４００〜４０３）。
【００３４】
再びＬＥＤ強制ＯＮ−ＯＦＦ切り替え釦１８が押下されると、ＬＥＤ消灯命令が制御回路７より送信され、ＬＥＤ５が消灯する（ステップ４０４〜４０６）。
【００３５】
この処理が終了すると、再びステップ４００に戻り処理が繰り返される。
【００３６】
以上、本発明の好ましい実施形態について説明したが、本発明はこれらの実施形態に限定されず、その要旨の範囲内で種々の変形及び変更が可能である。
【符号の説明】
【００３７】
１      背面操作部
２      キセノン管
３      反射傘
４      フレネルレンズ
５      ＬＥＤ
１６    ＭＡＩＮ スイッチ
１７    ＬＥＤ発光モード切り替えスイッチ
１８    ＬＥＤ強制ＯＮ−ＯＦＦ切り替え釦
１００  ストロボ装置
【図１】
2012145863.tif 000003
【図２】
2012145863.tif 000004
【図３】
2012145863.tif 000005
【図４】
2012145863.tif 000006
【図５】
2012145863.tif 000007